(57)【特許請求の範囲】
【請求項１】
原稿載置台上に載置した原稿のサイズを検知する原稿サイズ検知手段と、
この原稿サイズ検知手段の検知結果や各種設定画面及び各種メッセージを表示する表示手段と、
この表示手段によって表示された各種入力キー及び前記表示手段の外部に設置された各種入力キーからなる操作手段と、
これら原稿サイズ検知手段、表示手段及び操作手段の作動を制御する制御手段と、
を備えた画像形成装置であって、
前記制御手段は、
前記表示手段にサイズ選択用の原稿サイズ一覧画面を表示させ、その原稿サイズ一覧画面で選択された原稿サイズをユーザー登録する第１の原稿サイズ設定段階と、
前記表示手段に原稿サイズの入力画面を表示させ、その入力画面から入力された原稿サイズをユーザー登録する第２の原稿サイズ設定段階と、
前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する第３の原稿サイズ設定段階と、
前記原稿サイズ検知手段を作動させて原稿載置台上の原稿サイズを検知し、その検知した原稿サイズを前記表示手段に表示させ、その表示された原稿サイズをユーザー登録する第４の原稿サイズ設定段階と、
を前記操作手段からの入力信号に基づいて選択的に実行し、原稿載置台上の原稿がサイズ登録した原稿サイズの原稿であるとして、上記原稿サイズ設定後の各種作業を実行することを特徴とする画像形成装置。
【請求項２】
原稿載置台上に載置した原稿のサイズを検知する原稿サイズ検知手段と、
この原稿サイズ検知手段の検知結果や各種設定画面及び各種メッセージを表示する表示手段と、
この表示手段によって表示された各種入力キー及び前記表示手段の外部に設置された各種入力キーからなる操作手段と、
これら原稿サイズ検知手段、表示手段及び操作手段の作動を制御する制御手段と、
を備えた画像形成装置であって、
前記制御手段は、
前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する原稿サイズ設定段階と、
前記原稿サイズ検知手段を作動させて原稿載置台上の原稿サイズを検知し、その検知した原稿サイズを前記表示手段に表示させ、その表示された原稿サイズをユーザー登録する原稿サイズ設定段階と、
を前記操作手段からの入力信号に基づいて選択的に実行し、原稿載置台上の原稿がサイズ登録した原稿サイズの原稿であるとして、上記原稿サイズ設定後の各種作業を実行することを特徴とする画像形成装置。
【請求項３】
原稿載置台上に載置した原稿のサイズを検知する原稿サイズ検知手段と、
この原稿サイズ検知手段の検知結果や各種設定画面及び各種メッセージを表示する表示手段と、
この表示手段によって表示された各種入力キー及び前記表示手段の外部に設置された各種入力キーからなる操作手段と、
これら原稿サイズ検知手段、表示手段及び操作手段の作動を制御する制御手段と、
を備えた画像読み取り装置であって、
前記制御手段は、
前記表示手段にサイズ選択用の原稿サイズ一覧画面を表示させ、その原稿サイズ一覧画面で選択された原稿サイズをユーザー登録する第１の原稿サイズ設定段階と、
前記表示手段に原稿サイズの入力画面を表示させ、その入力画面から入力された原稿サイズをユーザー登録する第２の原稿サイズ設定段階と、
前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する第３の原稿サイズ設定段階と、
前記原稿サイズ検知手段を作動させて原稿載置台上の原稿サイズを検知し、その検知した原稿サイズを前記表示手段に表示させ、その表示された原稿サイズをユーザー登録する第４の原稿サイズ設定段階と、
を前記操作手段からの入力信号に基づいて選択的に実行し、原稿載置台上の原稿がサイズ登録した原稿サイズの原稿であるとして、上記原稿サイズ設定後の各種作業を実行することを特徴とする画像読み取り装置。
【請求項４】
原稿載置台上に載置した原稿のサイズを検知する原稿サイズ検知手段と、
この原稿サイズ検知手段の検知結果や各種設定画面及び各種メッセージを表示する表示手段と、
この表示手段によって表示された各種入力キー及び前記表示手段の外部に設置された各種入力キーからなる操作手段と、
これら原稿サイズ検知手段、表示手段及び操作手段の作動を制御する制御手段と、
を備えた画像読み取り装置であって、
前記制御手段は、
前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する原稿サイズ設定段階と、
前記原稿サイズ検知手段を作動させて原稿載置台上の原稿サイズを検知し、その検知した原稿サイズを前記表示手段に表示させ、その表示された原稿サイズをユーザー登録する原稿サイズ設定段階と、
を前記操作手段からの入力信号に基づいて選択的に実行し、原稿載置台上の原稿がサイズ登録した原稿サイズの原稿であるとして、上記原稿サイズ設定後の各種作業を実行することを特徴とする画像読み取り装置。
【請求項５】
原稿サイズ検知手段、表示手段及び操作手段の作動を制御する制御手段に、
前記表示手段にサイズ選択用の原稿サイズ一覧画面を表示させ、その原稿サイズ一覧画面で選択された原稿サイズをユーザー登録する第１の原稿サイズ設定段階と、
前記表示手段に原稿サイズの入力画面を表示させ、その入力画面から入力された原稿サイズをユーザー登録する第２の原稿サイズ設定段階と、
前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する第３の原稿サイズ設定段階と、
前記原稿サイズ検知手段を作動させて原稿載置台上の原稿サイズを検知し、その検知した原稿サイズを前記表示手段に表示させ、その表示された原稿サイズをユーザー登録する第４の原稿サイズ設定段階と、
を前記操作手段からの入力信号に基づいて選択的に実行させ、原稿載置台上の原稿がサイズ登録した原稿サイズの原稿であるとして、上記原稿サイズ設定後の各種作業を実行させるためのプログラム。
【請求項６】
原稿サイズ検知手段、表示手段及び操作手段の作動を制御する制御手段に、
前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する原稿サイズ設定段階と、
前記原稿サイズ検知手段を作動させて原稿載置台上の原稿サイズを検知し、その検知した原稿サイズを前記表示手段に表示させ、その表示された原稿サイズをユーザー登録する原稿サイズ設定段階と、
を前記操作手段からの入力信号に基づいて選択的に実行させ、原稿載置台上の原稿がサイズ登録した原稿サイズの原稿であるとして、上記原稿サイズ設定後の各種作業を実行させるためのプログラム。
【発明の詳細な説明】
【０００１】
【発明の属する技術分野】
この発明は、複写機，ファクシミリ装置，これらの複合機等の画像形成装置、及びこのような画像形成装置の一部を構成するスキャナー等の画像読み取り装置に関する。また、これら画像形成装置や画像読み取り装置を作動制御するためのプログラムに関する。
【０００２】
【従来の技術】
例えば、画像形成装置としての一般的な複写機は、原稿載置台上に置いた原稿の画像をスキャナー（画像読み取り手段）で光学的に読み取り、その読み取った画像情報を光電変換デバイスにより電気信号に変換し、更に各種の画像処理デバイスで画質の改良を施した後、半導体レーザ等を用いて電気信号を光信号に変換し、その光信号を結像デバイスを介して感光体上に結像させて、感光体上に静電潜像を形成した後、現像装置で感光体上にトナーを供給して、感光体上の静電潜像をトナー像として可視化するようになっている。そして、このような一般的な複写機は、感光体上のトナー像を転写装置でコピー紙等の記録材に転写した後、定着装置で記録材上のトナー像を加熱・加圧して記録材に定着させ、定着済みの記録材を排紙トレイ等に排出するようになっている。
【０００３】
【発明が解決しようとする課題】
このような複写機は、サイズの寸法単位がセンチメートルを基準とする地域とインチを基準とする地域毎に各種仕様を変更していた。しかし、近年、インターネットの普及等で様々の地域からの情報を効率的に処理する必要があるが、従来のような地域毎に各種仕様を変更していた複写機では、異なる寸法単位の原稿から的確且つ効率的に画像を読み取って処理（プリント又はデータ送信等）することが困難であった。
【０００４】
また、従来の複写機では、原稿サイズの判明していない原稿を原稿サイズ検知手段で読み込んで、その読み込んだ原稿サイズをユーザー側で登録するということができなかった。
【０００５】
そこで、本発明は、原稿の寸法単位がセンチメートルとインチのいずれであっても、原稿サイズの選択を的確且つ効率的にできるようにし、また、サイズの判明していない原稿のサイズを検知できるようにして、的確且つ効率的な情報処理（プリント又はデータ送信等）を可能にする画像形成装置及び画像読み取り装置を提供することを目的とする。また、本発明は、そのような画像形成装置及び画像読み取り装置の作動制御を行うプログラムを提供することを目的とする。
【０００６】
【課題を解決するための手段】
請求項１の発明は、原稿載置台上に載置した原稿のサイズを検知する原稿サイズ検知手段と、この原稿サイズ検知手段の検知結果や各種設定画面及び各種メッセージを表示する表示手段と、この表示手段によって表示された各種入力キー及び前記表示手段の外部に設置された各種入力キーからなる操作手段と、これら原稿サイズ検知手段、表示手段及び操作手段の作動を制御する制御手段と、を備えた画像形成装置である。このうち、前記制御手段は、前記表示手段にサイズ選択用の原稿サイズ一覧画面を表示させ、その原稿サイズ一覧画面で選択された原稿サイズをユーザー登録する第１の原稿サイズ設定段階と、前記表示手段に原稿サイズの入力画面を表示させ、その入力画面から入力された原稿サイズをユーザー登録する第２の原稿サイズ設定段階と、前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する第３の原稿サイズ設定段階と、前記原稿サイズ検知手段を作動させて原稿載置台上の原稿サイズを検知し、その検知した原稿サイズを前記表示手段に表示させ、その表示された原稿サイズをユーザー登録する第４の原稿サイズ設定段階と、を前記操作手段からの入力信号に基づいて選択的に実行し、原稿載置台上の原稿がサイズ登録した原稿サイズの原稿であるとして、上記原稿サイズ設定後の各種作業を実行することを特徴としている。
【０００７】
請求項２の発明は、原稿載置台上に載置した原稿のサイズを検知する原稿サイズ検知手段と、この原稿サイズ検知手段の検知結果や各種設定画面及び各種メッセージを表示する表示手段と、この表示手段によって表示された各種入力キー及び前記表示手段の外部に設置された各種入力キーからなる操作手段と、これら原稿サイズ検知手段、表示手段及び操作手段の作動を制御する制御手段と、を備えた画像形成装置である。そして、前記制御手段は、前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する原稿サイズ設定段階と、前記原稿サイズ検知手段を作動させて原稿載置台上の原稿サイズを検知し、その検知した原稿サイズを前記表示手段に表示させ、その表示された原稿サイズをユーザー登録する原稿サイズ設定段階と、を前記操作手段からの入力信号に基づいて選択的に実行し、原稿載置台上の原稿がサイズ登録した原稿サイズの原稿であるとして、上記原稿サイズ設定後の各種作業を実行することを特徴としている。
【０００８】
請求項３の発明は、原稿載置台上に載置した原稿のサイズを検知する原稿サイズ検知手段と、この原稿サイズ検知手段の検知結果や各種設定画面及び各種メッセージを表示する表示手段と、この表示手段によって表示された各種入力キー及び前記表示手段の外部に設置された各種入力キーからなる操作手段と、これら原稿サイズ検知手段、表示手段及び操作手段の作動を制御する制御手段と、を備えた画像読み取り装置である。そして、前記制御手段は、前記表示手段にサイズ選択用の原稿サイズ一覧画面を表示させ、その原稿サイズ一覧画面で選択された原稿サイズをユーザー登録する第１の原稿サイズ設定段階と、前記表示手段に原稿サイズの入力画面を表示させ、その入力画面から入力された原稿サイズをユーザー登録する第２の原稿サイズ設定段階と、前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する第３の原稿サイズ設定段階と、前記原稿サイズ検知手段を作動させて原稿載置台上の原稿サイズを検知し、その検知した原稿サイズを前記表示手段に表示させ、その表示された原稿サイズをユーザー登録する第４の原稿サイズ設定段階と、を前記操作手段からの入力信号に基づいて選択的に実行し、原稿載置台上の原稿がサイズ登録した原稿サイズの原稿であるとして、上記原稿サイズ設定後の各種作業を実行することを特徴としている。
【０００９】
請求項４の発明は、原稿載置台上に載置した原稿のサイズを検知する原稿サイズ検知手段と、この原稿サイズ検知手段の検知結果や各種設定画面及び各種メッセージを表示する表示手段と、この表示手段によって表示された各種入力キー及び前記表示手段の外部に設置された各種入力キーからなる操作手段と、これら原稿サイズ検知手段、表示手段及び操作手段の作動を制御する制御手段と、を備えた画像読み取り装置である。そして、前記制御手段は、前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する原稿サイズ設定段階と、前記原稿サイズ検知手段を作動させて原稿載置台上の原稿サイズを検知し、その検知した原稿サイズを前記表示手段に表示させ、その表示された原稿サイズをユーザー登録する原稿サイズ設定段階と、を前記操作手段からの入力信号に基づいて選択的に実行し、原稿載置台上の原稿がサイズ登録した原稿サイズの原稿であるとして、上記原稿サイズ設定後の各種作業を実行することを特徴としている。
【００１０】
請求項５の発明は、原稿サイズ検知手段、表示手段及び操作手段の作動を制御する制御手段に、前記表示手段にサイズ選択用の原稿サイズ一覧画面を表示させ、その原稿サイズ一覧画面で選択された原稿サイズをユーザー登録する第１の原稿サイズ設定段階と、前記表示手段に原稿サイズの入力画面を表示させ、その入力画面から入力された原稿サイズをユーザー登録する第２の原稿サイズ設定段階と、前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する第３の原稿サイズ設定段階と、前記原稿サイズ検知手段を作動させて原稿載置台上の原稿サイズを検知し、その検知した原稿サイズを前記表示手段に表示させ、その表示された原稿サイズをユーザー登録する第４の原稿サイズ設定段階と、を前記操作手段からの入力信号に基づいて選択的に実行させ、原稿載置台上の原稿がサイズ登録した原稿サイズの原稿であるとして、上記原稿サイズ設定後の各種作業を実行させるためのプログラムに関するものである。
【００１１】
請求項６の発明は、原稿サイズ検知手段、表示手段及び操作手段の作動を制御する制御手段に、前記原稿サイズ検知手段を作動させて原稿載置台上の原稿サイズを検知し、その検知した原稿サイズと同一又は近似するサイズの定形サイズを前記表示手段に一覧表示させ、その一覧表示画面から選択された原稿サイズをユーザー登録する原稿サイズ設定段階と、前記原稿サイズ検知手段を作動させて原稿載置台上の原稿サイズを検知し、その検知した原稿サイズを前記表示手段に表示させ、その表示された原稿サイズをユーザー登録する原稿サイズ設定段階と、を前記操作手段からの入力信号に基づいて選択的に実行させ、原稿載置台上の原稿がサイズ登録した原稿サイズの原稿であるとして、上記原稿サイズ設定後の各種作業を実行させるためのプログラムに関するものである。
【００１２】
【発明の実施の形態】
以下、本発明の実施の形態を図面に基づき詳述する。
【００１３】
（画像形成装置の概略構成）
図１は、本発明の実施の形態に係る画像形成装置の概略構成を示す制御ブロック図である。この図に示すように、画像形成装置１は、原稿の画像を読み取るスキャナー部２と、スキャナー部２で読み取った画像情報に基づいてコピー紙等の記録材に画像を形成するプリンター部３と、スキャナー部２やプリンター部３を作動させるためのデータを入力する各種キーや表示パネル等からなる操作部４と、これらスキャナー部２やプリンター部３の作動制御を前記操作部４からの入力データ等に基づいて実行する制御部５と、を備えている。
【００１４】
スキャナー部２は、プラテンガラス等の原稿載置台上に置いた原稿のサイズを光学的に検知する原稿サイズ検知センサ（原稿サイズ検知手段）６と、原稿の画像を読み取る画像読み取り手段７と、を備えている。このうち、原稿サイズ検知センサ６は、予め想定された定形サイズ（例えば、Ｂ５，Ａ４等）の原稿のサイズを検知するものである。一方、画像読み取り手段７は、原稿の画像をＣＣＤ等のイメージセンサで走査しながら光電変換を行い、その読み取った画像情報を電気信号に変換し、各種の画像処理デバイスで画質の改良を施すようになっており、原稿の画像を読み取る機能の他に、原稿の実寸法（幅寸法と、この幅寸法に直交する方向の長さ寸法）を測定する機能をも備えるものであり、原稿サイズ検知手段としても機能する。すなわち、この画像読み取り手段７は、原稿押さえを開放した状態で原稿面を走査すると、原稿面外からの反射光をイメージセンサで受光できないため（原稿押さえを閉じていると、原稿押さえからの反射光があるが、原稿押さえを開いておくと、原稿押さえからの反射光がないため）、原稿面と原稿面外との境界を特定でき、原稿の実寸法を検知できることになるのである。
【００１５】
プリンター部３は、コピー紙等の記録材を給紙トレイから記録材搬送路に沿って送り出す記録材供給手段８と、この記録材供給手段８から供給された記録材に画像を形成するプリント手段１０と、を備えている。このうち、プリント手段１０は、半導体レーザ等を用いて電気信号を光信号に変換し、その光信号を結像デバイスを介して感光体上に結像させて、感光体上に静電潜像を形成した後、現像装置で感光体上にトナーを供給して、感光体上の静電潜像をトナー像として可視化するようになっている。また、プリント手段１０は、感光体上のトナー像を転写装置でコピー紙等の記録材に転写した後、定着装置で記録材上のトナー像を加熱・加圧して記録材に定着させ、定着済みの記録材を排紙トレイ等に排出するようになっている。
【００１６】
操作部４は、コピースタートボタン，各種機能設定キーやテンキー等の各種入力キー１１と、各種情報の表示，各種機能選択画面や各種入力キー等を表示する液晶表示パネル等の表示パネル１２と、を備えている。このうち、表示パネル１２は、タッチパネルとしての機能を発揮できるようになっており、表示手段と操作手段としての機能を併せ持っている。
【００１７】
制御部５は、制御手段としてのＣＰＵ１３と、各種制御プログラムやデータを記録する記憶手段１４と、を備えている。そして、この制御部５は、記憶手段１４に記録された制御プログラムや前記入力キーからの信号等に基づいて前記画像読み取り手段７、プリント手段１０及び記録材供給手段８等に制御信号を出力して作動制御するようになっている。
【００１８】
（画像形成装置の原稿サイズ検知動作）
一般に画像形成装置１は、使用される地域又は国によって原稿サイズ（寸法単位）にセンチメートルとインチの違いがあるため、寸法単位がセンチメートルの国又は地域で使用されるものにはセンチメートルで定められた寸法の原稿や記録材を基準に変倍率等が設定されてプリント作業等が行われ、寸法単位がインチの国又は地域で使用されるものにはインチで定められた寸法の原稿や記録材を基準に変倍率等が設定されてプリント作業等が行われるようになっている。したがって、寸法単位がセンチメートルの国又は地域でインチサイズの原稿の画像を読み取ってプリント作業等を行う場合や、寸法単位がインチの国又は地域でセンチメートルサイズの原稿の画像を読み取ってプリント作業等を行う場合には、センチメートルサイズとインチサイズの原稿サイズをユーザーが適宜選択できるようにし、その選択した原稿サイズをユーザーがサイズ登録できるようにしておくと共に、サイズの判明していない原稿サイズを検知できるようにし、原稿サイズの検知結果（原稿の寸法等）をユーザー側でサイズ登録できるようにしておき、そのサイズ登録したデータを基準に変倍率等の設定をすることが円滑且つ正確な作業を遂行するために好ましい。
【００１９】
そこで、本実施の形態は、以下に示すような各態様で、ユーザーが画像読み取りの対象となる原稿のサイズを登録できるようにした。すなわち、第１の態様（第１の原稿サイズ設定段階）は、ユーザーが予め用意された原稿サイズリストからサイズ登録すべき原稿サイズを選択してユーザー登録するようになっている。また、第２の態様（第２の原稿サイズ設定段階）は、ユーザーが原稿サイズを操作部４から直接入力してユーザー登録するようになっている。また、第３の態様（第３の原稿サイズ設定段階）は、ユーザーが原稿サイズ検知手段として機能する画像読み取り手段７で原稿サイズを検知すると、その検知した原稿サイズと同一又は近似する定形の原稿サイズを表示パネル１２に表示してユーザーが選択できるようにし、そのユーザーが選択した原稿サイズをユーザー登録するようになっている。第４の態様（第４の原稿サイズ設定段階）は、ユーザーが原稿サイズ検知手段として機能する画像読み取り手段７で原稿サイズを検知すると、その検知した原稿サイズ（幅寸法と長さ方向寸法、換言すれば原稿の縦横の長さ寸法）を表示パネル１２に直接表示し、その検知した原稿サイズをそのままユーザー登録するようになっている。
【００２０】
図３〜図４は、上述のような画像形成装置１において、原稿サイズをユーザー登録する場合の制御手段１３による作動制御状態を示すフローチャート図である。
【００２１】
先ず、図３に示すように、原稿載置台上に原稿がセットされ（ステップＳ１）、ユーザーによって表示パネル１２に表示された原稿サイズ選択キーがオン操作されると共に、原稿サイズをリストから選択するキー（図５のサイズ選択キー１７）がオン操作されると（ステップＳ２）、原稿サイズの一覧表示（図５に示す、センチメートルサイズの原稿サイズの一覧表示１８及びインチサイズの原稿サイズの一覧表示２０）がされる原稿サイズ選択画面２１を表示パネル１２に表示させる（ステップＳ３）。そして、ユーザーが図５に示す原稿サイズ選択画面２１から所望の原稿サイズを選択し（ステップＳ４）、ユーザーが図５の登録キー２２をオンして図外の登録キー選択画面で図５のユーザー登録キー（Ｎｏ１〜Ｎｏ４）２３のいずれかを選択すれば、その選択されたユーザー登録キー２３に選択された原稿サイズをサイズ登録する（ステップＳ５）。
【００２２】
次に、図３のステップＳ２において、ユーザーが原稿サイズをリストから選択せず、ユーザーが図５のサイズ入力キー２４をオンすると（ステップＳ６）、図６のサイズ入力画面を表示する（ステップＳ７）。そして、ユーザーが図６の原稿サイズ入力画面から原稿サイズ（幅寸法２５と長さ寸法２６）を図外の入力キーや操作キー２９で入力し（ステップＳ８）、ユーザーが図外の登録キー選択画面で図５のユーザー登録キー（Ｎｏ１〜Ｎｏ４）２３のいずれかを選択すれば、その選択されたユーザー登録キー２３に入力された原稿サイズをサイズ登録する（ステップＳ９）。
【００２３】
次に、図３及び図４において、ユーザーが図３のステップＳ６で原稿サイズ入力を選択せず、ユーザーが図６の原稿サイズ入力画面のサイズ検知による登録キー２７をオン操作すると（ステップＳ１０）、図７に示すサイズ検知による登録画面を表示すると共に、原稿サイズ検知手段としても機能する画像読み取り手段７を作動させ、原稿サイズを検知する（ステップＳ１１）。ここで、ユーザーが図７に示すサイズ検知による登録画面の定形サイズキー２８をオン操作すると（ステップＳ１２）、図７のサイズ検知による登録画面の登録サイズ候補の欄３０にサイズ選択画面３１を表示する（ステップＳ１３）。この図７のサイズ選択画面３１は、画像読み取り手段７の検知した原稿サイズと同一又は近似する定形の原稿サイズを選択可能な状態で一覧表示するものである。そして、ユーザーが図７の操作キー３２を操作してサイズ選択画面３１中の原稿サイズを選択し（ステップＳ１４）、図７のサイズ登録キー３３をオン操作し、図外の登録キー選択画面で図５のユーザー登録キー（Ｎｏ１〜Ｎｏ４）２３のいずれかを選択すれば、その選択されたユーザー登録キー２３にサイズ登録する（ステップＳ１５）。
【００２４】
次に、図４のステップＳ１２において、ユーザーが図７の不定形サイズ選択キー３４をオン操作すると、図８に示すように、サイズ検知による登録画面に画像読み取り手段７が検知した原稿の実寸法（幅寸法と長さ寸法）を寸法表示欄３５に表示する（ステップＳ１６）。そして、ユーザーが図８のサイズ登録キー３３をオン操作し、図外の登録キー選択画面で図５のユーザー登録キー（Ｎｏ１〜Ｎｏ４）２３のいずれかを選択すれば、その選択されたユーザー登録キー２３にサイズ登録する（ステップＳ１５）。尚、図８において、寸法表示欄３５の原稿の実寸法は、操作キー３６で変更できるようになっている。
【００２５】
（本実施の形態の効果）
以上のように構成された本実施の形態の画像形成装置１は、原稿サイズが予め判明している場合、原稿がセンチメートルサイズとインチサイズのいずれであっても、原稿サイズを定形サイズのリストから選択してユーザー登録することができ、また、原稿サイズを入力してユーザー登録することもできる。また、本実施の形態の画像形成装置１は、原稿サイズが不明の場合、画像読み取り手段７で原稿載置台上の原稿を走査して原稿サイズを検知し、その検知した寸法と同一又は近似する寸法の原稿サイズ）定形サイズ）のリストを表示パネルに表示し、そのリストから選択した原稿サイズをユーザー登録することができ、また、検知した原稿サイズをそのままユーザー登録することができる。従って、本実施の形態の画像形成装置１によれば、ユーザー登録した原稿サイズを基準にして変倍率等の画像処理を的確に行い、情報処理（変倍率等の画像処理設定を的確に行い、プリント又はデータ送信等）を正確且つ効率的に行うことができる。
【００２６】
（他の実施の形態）
上述の実施の形態において、原稿サイズをユーザー登録するための第１の態様及び第２の態様を省略し、図９に示すように、第３の態様及び第４の態様のみで原稿サイズをユーザー登録するようにしてもよい。このように構成した画像形成装置１でも、原稿がセンチメートルサイズかインチサイズであるかに関わらず、的確且つ効率的に原稿サイズをユーザー登録することができ、情報処理を正確且つ効率的に行うことが可能になる。尚、図９は、図３〜図４のフローチャート図と同一構成部分に同一符号を付してある。
【００２７】
（本実施の形態の画像形成装置の応用例）
図２は、画像形成装置としての複写機１Ａをネットワークでコンピュータ１５やプリンター１６に接続し、複写機１Ａのスキャナー部２で読み取った原稿の画像データをコンピュータ１５に取り込んで編集したり、また、複写機１Ａのスキャナー部２で読み取った原稿の画像データを他の複写機１Ｂ，１Ｃやプリンター１６に送信して、送信先の複写機１Ｂ，１Ｃ又はプリンター１６で印刷できるようにしたものである。すなわち、この図２は、本実施の形態に係る複写機１Ａを、他の複写機１Ｂ，１Ｃ、プリンター１６又はコンピュータ１５のスキャナー部（画像読み取り装置）として使用する態様を示すものである。
【００２８】
また、上述の実施の形態において、画像形成装置１は、複写機又はスキャナー部を備えたファクシミリ装置や印刷機に広く適用することができ、複写機とファクシミリ装置の機能を併せ持つ複合機にも適用することができる。
【００２９】
また、上述の実施の形態の画像形成装置１において、データ送信手段を設置してインターネットに接続することにより、原稿から読み取った画像データをインターネットを介して他のコンピュータや複写機等との間で送受信することができるようにしてもよい。
【００３０】
また、上述の実施の形態に画像形成装置１は、電子写真式複写機を例示したが、これに限られず、プリント手段がインクジェット方式の複写機等にも適用することができる。
【００３１】
【発明の効果】
以上の説明のように、本発明によれば、原稿がセンチメートルサイズかインチサイズであるかに関わらず、原稿サイズ検知手段で原稿サイズを検知し、その検知結果に基づいて的確且つ効率的に原稿サイズをユーザー登録することができるため、情報処理を正確且つ効率的に行うことができる。
【図面の簡単な説明】
【図１】本発明の実施の形態に係る画像形成装置の概略構成を示す制御ブロック図である。
【図２】本発明の実施の形態に係る画像形成装置の応用例を示すネットワーク構成図である。
【図３】本発明の実施の形態に係る画像形成装置の作動制御を示す第１のフローチャート図である。
【図４】本発明の実施の形態に係る画像形成装置の作動制御を示す第２のフローチャート図である。
【図５】表示パネルの第１の表示例を示す図である。
【図６】表示パネルの第２の表示例を示す図である。
【図７】表示パネルの第３の表示例を示す図である。
【図８】表示パネルの第４の表示例を示す図である。
【図９】本発明の他の実施の形態に係る画像形成装置の作動制御を示すフローチャート図である。
【符号の説明】
１……画像形成装置、１Ａ，１Ｂ，１Ｃ……複写機（画像形成装置）、２……スキャナー部（画像読み取り装置）、６……原稿サイズ検知センサ（原稿サイズ検知手段）、７……画像読み取り手段（原稿サイズ検知手段）、１１……入力キー（操作手段）、１２……表示パネル（表示手段及び操作手段）、１３……制御手段
【図１】
0003723500.tif 000002
【図２】
0003723500.tif 000003
【図３】
0003723500.tif 000004
【図４】
0003723500.tif 000005
【図５】
0003723500.tif 000006
【図６】
0003723500.tif 000007
【図７】
0003723500.tif 000008
【図８】
0003723500.tif 000009
【図９】
0003723500.tif 000010